(57)【特許請求の範囲】
【請求項１】
被写体を照射する複数の光源素子と、
前記被写体を撮像する撮像素子と、
前記複数の光源素子と、前記複数の光源素子の各々が照射する領域と、の対応関係を記憶する記憶手段と、
前記複数の光源素子の全てを点灯して前記被写体をプレ露光するプレ露光手段と、
前記プレ露光により前記撮像素子により撮像された前記被写体のプレ露光画像に基づいて、本露光の露出時間で露出した場合に飽和する飽和領域を特定する特定手段と、
前記対応関係に基づいて、前記飽和領域に対応する前記光源素子を特定し、特定した前記光源素子の点灯時間を短縮して本露光する本露光手段と、
を備え、
前記プレ露光手段は、前記飽和領域に対応する前記光源素子を消灯して再度プレ露光し、さらに飽和する場合は、前記飽和領域に対応する前記光源素子の周囲の前記光源素子を消灯して再度プレ露光する
撮影装置。
【請求項２】
前記プレ露光画像における前記飽和領域の濃度に基づいて、前記本露光において前記飽和領域が飽和しないように、前記飽和領域に対応する光源素子の点灯時間を算出する算出手段
を備えた請求項１記載の撮影装置。
【請求項３】
前記複数の光源素子の各々を点灯させて基準蛍光板を撮影したときの撮影画像の各々と、前記飽和領域に対応する前記光源素子の点灯時間と、に基づいて、シェーディング補正データを生成してシェーディング補正するシェーディング補正手段
を備えた請求項１又は請求項２記載の撮影装置。
【請求項４】
コンピュータを、請求項１〜請求項３の何れか１項に記載の撮影装置を構成する各手段として機能させるための撮影プログラム。
【請求項５】
被写体を照射する複数の光源素子の全てを点灯して前記被写体をプレ露光し、
前記プレ露光により前記被写体を撮像する撮像素子により撮像された前記被写体のプレ露光画像に基づいて、本露光の露出時間で露出した場合に飽和する飽和領域を特定し、
前記複数の光源素子と、前記複数の光源素子の各々が照射する領域と、の対応関係に基づいて、前記飽和領域に対応する前記光源素子を特定し、
前記飽和領域に対応する前記光源素子を消灯して再度プレ露光し、さらに飽和する場合は、前記飽和領域に対応する前記光源素子の周囲の前記光源素子を消灯して再度プレ露光し、
特定した前記光源素子の点灯時間を短縮して本露光する
撮影方法。
【発明の詳細な説明】
【技術分野】
【０００１】
本発明は、撮影装置、撮影プログラム、及び撮影方法に係り、特に、撮像素子を冷却する冷却手段を備えた撮影装置、撮影プログラム、及び撮影方法に関する。
【背景技術】
【０００２】
従来、例えば生化学の分野において、励起光が照射されることにより蛍光を射出する、蛍光色素で標識された蛍光サンプルを被写体として撮像したり、化学発光基質と接触して発光している化学発光サンプルを被写体として撮像したりする撮影装置が提案されている（例えば特許文献１参照）。
【０００３】
このような撮影装置では、蛍光強度範囲が広い蛍光サンプルを撮影する場合、短時間の露出でも蛍光強度が強い部位は飽和してしまい、逆に蛍光強度が微弱な部位は、十分に検出することができない、という問題がある。
【０００４】
このため、特許文献２には、弱い励起光と強い励起光を交互に１絵素内で照射し、両強度の蛍光を検出し、この２つのデータから蛍光強度を検出することにより広いダイナミックレンジの蛍光検出を行う蛍光画像検出方法が開示されている。
【先行技術文献】
【特許文献】
【０００５】
【特許文献１】特開２００５−２８３３２２号公報
【特許文献２】特開２００３−２３２７３３号公報
【発明の概要】
【発明が解決しようとする課題】
【０００６】
しかしながら、上記特許文献２記載の技術は、二次元状に蛍光サンプルが配列されている場合には適用できない、という問題があった。
【０００７】
本発明は上記問題点を解決するためになされたものであり、二次元状に蛍光サンプルが配列されたような被写体においても、広いダイナミックレンジで蛍光サンプルを精度良く検出することができる撮影装置、撮影プログラム、及び撮影方法を提供することを目的とする。
【課題を解決するための手段】
【０００８】
上記課題を解決するため、請求項１記載の発明の撮影装置は、被写体を照射する複数の光源素子と、前記被写体を撮像する撮像素子と、前記複数の光源素子と、前記複数の光源素子の各々が照射する領域と、の対応関係を記憶する記憶手段と、前記複数の光源素子の全てを点灯して前記被写体をプレ露光するプレ露光手段と、前記プレ露光により前記撮像素子により撮像された前記被写体のプレ露光画像に基づいて、本露光の露出時間で露出した場合に飽和する飽和領域を特定する特定手段と、前記対応関係に基づいて、前記飽和領域に対応する前記光源素子を特定し、特定した前記光源素子の点灯時間を短縮して本露光する本露光手段と、を備え、前記プレ露光手段は、前記飽和領域に対応する前記光源素子を消灯して再度プレ露光し、さらに飽和する場合は、前記飽和領域に対応する前記光源素子の周囲の前記光源素子を消灯して再度プレ露光することを特徴とする。
【０００９】
この発明によれば、複数の光源素子を備え、プレ露光画像に基づいて、本露光の露出時間で露出した場合に飽和する飽和領域を特定し、その飽和領域に対応する光源素子の点灯時間を短縮して本露光するので、二次元状に蛍光サンプルが配列されたような被写体においても、広いダイナミックレンジで蛍光サンプルを精度良く検出することができる。
【００１０】
なお、請求項２に記載したように、前記プレ露光画像における前記飽和領域の濃度に基づいて、前記本露光において前記飽和領域が飽和しないように、前記飽和領域に対応する光源素子の点灯時間を算出する算出手段を備えた構成としてもよい。
【００１１】
また、請求項３に記載したように、前記複数の光源素子の各々を点灯させて基準蛍光板を撮影したときの撮影画像の各々と、前記飽和領域に対応する前記光源素子の点灯時間と、に基づいて、シェーディング補正データを生成してシェーディング補正するシェーディング補正手段を備えた構成としてもよい。
【００１３】
請求項４記載の発明の撮影プログラムは、コンピュータを、請求項１〜請求項３の何れか１項に記載の撮影装置を構成する各手段として機能させるための撮影プログラムである。
【００１４】
請求項５記載の発明の撮影方法は、被写体を照射する複数の光源素子の全てを点灯して前記被写体をプレ露光し、前記プレ露光により前記被写体を撮像する撮像素子により撮像された前記被写体のプレ露光画像に基づいて、本露光の露出時間で露出した場合に飽和する飽和領域を特定し、前記複数の光源素子と、前記複数の光源素子の各々が照射する領域と、の対応関係に基づいて、前記飽和領域に対応する前記光源素子を特定し、前記飽和領域に対応する前記光源素子を消灯して再度プレ露光し、さらに飽和する場合は、前記飽和領域に対応する前記光源素子の周囲の前記光源素子を消灯して再度プレ露光し、特定した前記光源素子の点灯時間を短縮して本露光することを特徴とする。
【発明の効果】
【００１５】
本発明によれば、二次元状に蛍光サンプルが配列されたような被写体においても、広いダイナミックレンジで蛍光サンプルを精度良く検出することができる、という効果を有する。
【図面の簡単な説明】
【００１６】
【図１】撮影システムの斜視図である。
【図２】撮影装置の正面図である。
【図３】画像処理装置１００の概略ブロック図である。
【図４】撮影部３０の概略ブロック図である。
【図５】落射光源の平面図である。
【図６】メインコントローラのＣＰＵで実行される処理のフローチャートである。
【図７】プレ露光画像の一例を示す図である。
【発明を実施するための形態】
【００１７】
以下、図面を参照して本発明の実施形態について説明する。
【００１８】
図１は、本発明に係る撮影装置を用いた撮影システムの一例を示す斜視図である。撮影システム１は、被写体に応じて励起光を照射せずに又は励起光を照射して被写体を撮影し、被写体の撮影画像を取得する撮影システムであり、撮影装置１０及び画像処理装置１００を含んで構成されている。
【００１９】
撮影装置１０は、被写体を撮影して取得した被写体の画像データを画像処理装置１００に出力する。画像処理装置１００は、受信した画像データに対して、必要に応じて所定の画像処理を施して表示部２０２に表示させる。
【００２０】
なお、被写体は、例えば前述した化学発光サンプルであってもよいし、蛍光サンプルであってもよいが、これに限られるものではない。
【００２１】
図２には、撮影装置１０の蓋２２（図１参照）を開けた状態の正面図を示した。同図に示すように、撮影装置１０は、被写体ＰＳが配置される被写体配置部４０と、被写体配置部４０を内部に収容した筐体２０と、被写体配置部４０に配置された被写体ＰＳを撮影する撮影部３０と、被写体ＰＳに励起光を照射する、筐体２０内に配置された落射光源５０と、透過光源６０と、を備えている。
【００２２】
筐体２０は、略直方体に形成された中空部２１を有するものであって、内部に被写体ＰＳが配置される被写体配置部４０を有している。また、筐体２０には図１に示す蓋２２が開閉可能に取り付けられており、ユーザーが蓋２２を開けて筐体２０内に被写体ＰＳを収容することができるようになっている。このように、筐体２０は中空部２１内に外光が入らないような暗箱を構成している。
【００２３】
撮影装置１０は、筐体２０の上面２０ａに固定されており、詳細は後述するが、例えばＣＣＤ等の撮像素子を含んで構成されている。撮像素子には、冷却素子が取り付けられており、撮像素子を冷却することにより、撮影された画像情報に暗電流によるノイズ成分が含まれるのを防止している。
【００２４】
撮影装置１０にはレンズ部３１が取り付けられており、このレンズ部３１は、被写体Ｐ  Ｓにフォーカスを合わせるために、矢印Ｚ方向に移動可能に設けられている。
【００２５】
落射光源５０は、被写体配置部４０の上に配置された被写体ＰＳに向けて励起光を射出する。透過光源６０は、被写体ＰＳの下から励起光を照射する。蛍光サンプルを撮影する場合には、被写体に応じて落射光源５０及び透過光源６０の少なくとも一方から励起光を被写体に照射させる。
【００２６】
図３には、落射光源５０の平面図を示した。図２、図３に示すように、落射光源５０は、二次元状に配置された複数の光源素子５０Ａを備えている。なお、光源素子５０Ａとしては、例えばＬＥＤを用いることができるが、これに限られるものではない。
【００２７】
図４には、画像処理装置１００の概略構成を示した。同図に示すように、画像処理装置１００は、メインコントローラ７０を含んで構成されている。
【００２８】
メインコントローラ７０は、ＣＰＵ（Ｃｅｎｔｒａｌ  Ｐｒｏｃｅｓｓｉｎｇ  Ｕｎｉｔ）７０Ａ、ＲＯＭ（Ｒｅａｄ  Ｏｎｌｙ  Ｍｅｍｏｒｙ）７０Ｂ、ＲＡＭ（Ｒａｎｄｏｍ  Ａｃｃｅｓｓ  Ｍｅｍｏｒｙ）７０Ｃ、不揮発性メモリ７０Ｄ、及び入出力インターフェース（Ｉ／Ｏ）７０Ｅがバス７０Ｆを介して各々接続された構成となっている。
【００２９】
Ｉ／Ｏ７０Ｅには、表示部２０２、操作部７２、ハードディスク７４、及び通信Ｉ／Ｆ７６が接続されている。メインコントローラ７０は、これらの各機能部を統括制御する。
【００３０】
表示部２０２は、例えばＣＲＴや液晶表示装置等で構成され、撮影装置１０で撮影された画像を表示したり、撮影装置１０に対して各種の設定や指示を行うための画面等を表示したりする。
【００３１】
操作部７２は、マウスやキーボード等を含んで構成され、ユーザーが操作部７２を操作することによって撮影装置１０に各種の指示を行うためのものである。
【００３２】
ハードディスク７４は、撮影装置１０で撮影された撮影画像の画像データ、後述する制御プログラム、制御に必要な各種データ等が記憶される。
【００３３】
通信インターフェース（Ｉ／Ｆ）７６は、撮影装置１０の撮影部３０、落射光源５０、及び透過光源６０と接続される。ＣＰＵ７０Ａは、通信Ｉ／Ｆ７６を介して、被写体の種類に応じた撮影条件での撮影を撮影部３０に指示したり、被写体に励起光を照射する場合には、落射光源５０及び透過光源６０の少なくとも一方に励起光の照射を指示したりすると共に、撮影部３０で撮影された撮影画像の画像データを受信して画像処理等を施したりする。
【００３４】
また、ＣＰＵ７０Ａは、落射光源５０の複数の光源素子５０Ａを個々に点灯制御することができる。
【００３５】
図５には、撮影部３０の概略構成を示した。同図に示すように、撮影部３０は、制御部８０を備えており、制御部８０はバス８２を介して通信インターフェース（Ｉ／Ｆ）８４と接続されている。通信Ｉ／Ｆ８４は、画像処理装置１００の通信Ｉ／Ｆ７６と接続される。
【００３６】
制御部８０は、通信Ｉ／Ｆ８４を介して画像処理装置１００から撮影が指示されると、指示内容に応じて各部を制御して被写体配置部４０に配置された被写体ＰＳを撮影し、その撮影画像の画像データを通信Ｉ／Ｆ８４を介して画像処理装置１００へ送信する。
【００３７】
制御部８０には、レンズ部３１、タイミング発生器８６、撮像素子８８を冷却する冷却素子９０、及び撮像素子８８の温度を検出する温度センサ９１が接続されている。
【００３８】
制御部８０は、例えば図示しないＣＰＵ、ＲＯＭ、ＲＡＭ、不揮発性ＲＯＭ等を含むコンピュータで構成され、不揮発性ＲＯＭには、撮影部３０を統括制御する制御プログラムが記憶されている。これをＣＰＵが読み込んで実行することにより、制御部８０に接続された各部を制御する。
【００３９】
レンズ部３１は、図示は省略するが、例えば複数の光学レンズから成るレンズ群、絞り調整機構、ズーム機構、及び自動焦点調節機構等を含んで構成されている。レンズ群は、図２において被写体ＰＳにフォーカスを合わせるために、矢印Ｚ方向に移動可能に設けられている。絞り調節機構は、開口部の径を変化させて撮像素子８８への入射光量を調整するものであり、ズーム機構は、レンズの配置する位置を調節してズームを行うものであり、自動焦点調節機構は、被写体ＰＳと撮影装置１０との距離に応じてピント調節するものである。
【００４０】
被写体ＰＳからの光は、レンズ部３１を透過して被写体像として撮像素子８８に結像される。
【００４１】
撮像素子８８は、図示は省略するが、複数の各画素に対応する受光部、水平転送路、及び垂直転送路等を含んで構成されている。撮像素子８８は、その撮像面に結像される被写体像を電気信号に光電変換する機能を有し、例えば電荷結合素子（Ｃｈａｒｇｅ  Ｃｏｕｐｌｅｄ  Ｄｅｖｉｃｅ：ＣＣＤ）や金属酸化膜型半導体（Ｍｅｔａｌ  ＯｘｉｄｅＳｅｍｉｃｏｎｄｕｃｔｏｒ：ＭＯＳ）等のイメージセンサが用いられる。
【００４２】
撮像素子８８は、タイミング発生器８６からのタイミング信号により制御され、被写体ＰＳからの入射光を各受光部で光電変換する。
【００４３】
撮像素子８８で光電変換された信号電荷は、電荷電圧変換アンプ９２によって電圧変換されたアナログ信号となり、信号処理部９４に出力される。
【００４４】
タイミング発生器８６は、撮影部３０を動作させる基本クロック（システムクロック）を発生する発振器を有しており、例えば、この基本クロックを各部に供給すると共に、この基本クロックを分周して様々なタイミング信号を生成する。例えば、垂直同期信号、水平同期信号及び電子シャッタパルスなどを示すタイミング信号を生成して撮像素子８８に供給する。また、相関二重サンプリング用のサンプリングパルスやアナログ・デジタル変換用の変換クロックなどのタイミング信号を生成して信号処理部９４に供給する。
【００４５】
信号処理部９４は、タイミング発生器８６からのタイミング信号により制御され、入力されたアナログ信号に対して相関二重サンプリング処理を施す相関二重サンプリング回路（Ｃｏｒｒｅｌａｔｅｄ  Ｄｏｕｂｌｅ  Ｓａｍｐｌｉｎｇ：ＣＤＳ）及び相関二重サンプリング処理が施されたアナログ信号をデジタル信号に変換するアナログ・デジタル（Ａｎａｌｏｇ／Ｄｉｇｉｔａｌ：Ａ／Ｄ）変換器等を含んで構成される。または、フィードスルー部と信号部をＡ／Ｄサンプルし、フィードスルー部及び信号部の各デジタル値の差分データを算出する処理を行う処理部を含んで構成される。
【００４６】
相関二重サンプリング処理は、撮像素子８８の出力信号に含まれるノイズ等を軽減することを目的として、撮像素子８８の１受光素子（画素）毎の出力信号に含まれるフィードスルー部のレベルと画像部分に相当する信号部のレベルとの差をとることにより画素データを得る処理である。
【００４７】
相関二重サンプリング処理されたデジタル信号はメモリ９６に出力され、一次記憶される。メモリ９６に一次記憶された画像データは、通信Ｉ／Ｆ８４を介して画像処理装置１００に送信される。
【００４８】
冷却素子９０は、例えばペルチエ素子等により構成され、制御部８０によって冷却温度が制御される。被写体ＰＳが化学発光サンプルの場合、励起光を照射せずに比較的長時間露光して撮影を行うため、撮像素子８８の温度が上昇して暗電流の増加等により画質に悪影響を及ぼす場合がある。このため、制御部８０では、画像処理装置１００から指示された冷却温度に撮像素子８８の温度が維持されるように、温度センサ９１により検出された撮像素子８８の温度をモニタしながら冷却素子９０をＰＷＭ（パルス幅変調）制御し、撮像素子８８を冷却する。
【００４９】
次に、本実施形態の作用として、メインコントローラ７０のＣＰＵ７０Ａで実行される撮影処理について、図６に示すフローチャートを参照して説明する。
【００５０】
なお、図６に示すフローチャートは、操作部７２が操作されて撮影が指示されると実行される。
【００５１】
まず、ステップＳ１００では、プレ露光による撮影を行う。このプレ露光では、落射光源５０の全ての光源素子５０Ａを点灯させて、予め定めた初期露出時間で被写体ＰＳを露光して撮影する。このプレ露光は、後述する本露光の露出時間で被写体ＰＳを露出した場合に、飽和する領域を特定するために予め行う露光のことをいう。
【００５２】
ステップＳ１０２では、プレ露光により撮影されたプレ露光画像に含まれる蛍光サンプルの画像を抽出し、抽出した蛍光サンプルの画像のうち、最低濃度の蛍光サンプルを特定する。なお、プレ露光画像からの蛍光サンプルの画像の抽出は、例えば二値化処理やエッジ強調処理等の公知の画像処理により可能である。
【００５３】
ステップＳ１０４では、本露光した場合に、ステップＳ１０２で特定した最低濃度の蛍光サンプルに対して最適となる露出時間、すなわち飽和せずに蛍光サンプルの濃度を検出できる露出時間を決定し、これを本露光の露出時間として設定する。これは、最低濃度に適した露出時間をユーザーに指定させるようにしてもよいし、最低濃度と露出時間との対応関係を予め定めたテーブルデータをハードディスク７４に記憶しておき、このテーブルデータに基づいて、最低濃度に対応する露出時間を自動で設定するようにしてもよい。
【００５４】
ステップＳ１０６では、ステップＳ１０４で設定した露出時間で本露光した場合に飽和する蛍光サンプルを特定し、その蛍光サンプルを含む領域を飽和領域として特定する。これは、例えば濃度及び露出時間をパラメータとする予め定めた飽和関数により算出された値が予め定めた飽和閾値以上となるか否かを、各蛍光サンプルの濃度について判断する。そして、飽和関数により算出した値が飽和閾値以上となる蛍光サンプルを含む領域を飽和領域として特定する。
【００５５】
以下、飽和領域の特定について説明する。例えば、図７に示すように、プレ露光画像Ｐに複数の帯状の蛍光サンプルＳ１〜Ｓ１３の画像が二次元状に配列されているものとする。なお、図７では、プレ露光画像Ｐを複数の領域に分割しており、本実施形態では、図７のＸ方向の位置をｘ（＝１，２，３，・・・）、Ｘ方向に直交するＹ方向の位置をｙ（１，２，３，・・・）で表した場合に、各領域の位置をｘ−ｙで表す。また、図７では、画像の濃度が高い（図７では色が黒い）ほど強く発光する蛍光サンプルであるものとする。このような場合に、例えば蛍光サンプルＳ１，Ｓ２，Ｓ７が、ステップ１０４で設定した露出時間で本露光すると飽和してしまうとすると、これら蛍光サンプルＳ１，Ｓ２，Ｓ７を含む領域２−２，３−２を飽和領域として特定する。
【００５６】
ステップＳ１０８では、飽和領域に対応する光源素子５０Ａを特定し、その光源素子の点灯時間を算出する。飽和領域に対応する光源素子の特定は、各光源素子を１個ずつ点灯した場合に、各々の光源素子が最も強く照射する領域と光源素子との対応関係を示す光源素子テーブルデータに基づいて行う。この光源素子テーブルデータは、光源素子を１個ずつ点灯して、どの領域が最も強く照射されるかを測定した結果に基づいて作成され、予めハードディスク７４に記憶される。
【００５７】
図７の例では、２−２，３−２の領域が飽和領域なので、この領域に対応した光源素子５０Ａを、光源素子テーブルデータから特定する。
【００５８】
飽和領域の光源素子５０Ａを特定した後は、特定した光源素子５０Ａの各々について、本露光における点灯時間を算出する。例えば、飽和領域に含まれる蛍光サンプルの濃度が、予め定めた飽和しない濃度の上限値を越えた分に相当する時間を、本露光の露出時間から減算し、その時間を飽和領域の点灯時間とする。例えば、図７に示す飽和領域２−２に含まれる蛍光サンプルＳ１、Ｓ２のうち最も高い濃度が、予め定めた非飽和濃度の上限値を２０％越えていた場合は、飽和領域２−２に対応した光源素子５０Ａの点灯時間を、ステップＳ１０４で設定した本露光の露出時間から２０％減らした時間とする。これにより、飽和領域２−２に含まれる蛍光サンプルＳ１，Ｓ２のうち最も高い濃度の蛍光サンプルが本露光で飽和してしまうのを防ぐことができる。
【００５９】
なお、飽和領域２−２に対応した光源素子５０Ａの点灯時間は、非飽和濃度の上限値を越えた分に相当する時間以上に減らしても良い。例えば上記の例では、飽和領域２−２に対応した光源素子５０Ａの点灯時間を、本露光の露出時間から２０％以上減らした時間としてもよく、単純に飽和領域２−２に対応する光源素子５０Ａを非点灯としてもよい。
【００６０】
ステップＳ１１０では、飽和領域以外の非飽和領域に対応する光源素子５０Ａについては、ステップＳ１０４で設定した露出時間で点灯させ、飽和領域に対応する光源素子５０Ａについては、ステップＳ１０８で算出した点灯時間で点灯させることにより、被写体ＰＳを本露光する。
【００６１】
ステップＳ１１２では、本露光で撮影した本露光画像に対してシェーディング補正を施す。このシェーディング補正は、各光源素子５０Ａを１個ずつ点灯して全面均一濃度のアクリル板等の基準蛍光板を撮影した基準蛍光板画像に基づいて行う。この光源素子５０Ａ毎の基準蛍光板画像の画像データは、予めハードディスク７４に記憶される。
【００６２】
基準蛍光板は全面均一濃度であるため、各基準蛍光板画像の各光源素子５０Ａが照射する領域の濃度は同一となるはずであるが、各光源素子５０Ａの照射強度にはばらつきがあるため、全て同一濃度とはならない。
【００６３】
このため、本実施形態では、各光源素子５０Ａの基準蛍光板画像の画像データと、飽和領域の光源素子の点灯時間と、に基づいて、二次元シェーディング補正データを生成し、この二次元シェーディング補正データに基づいて本露光画像をシェーディング補正する。
【００６４】
この二次元シェーディング補正データは、領域毎の補正データからなる二次元の補正データであり、例えば各領域の補正データを本露光画像の対応する領域の画像データに各々加算することにより、領域毎の濃度むらが解消するようなデータである。このとき、例えば飽和領域に対応する光源素子５０Ａを消灯するようにした場合、すなわち点灯時間を零にした場合には、その飽和領域に対応した基準蛍光板画像の画像データを除いて二次元シェーディング補正データを生成するようにしてもよい。
【００６５】
また、飽和領域に対応する光源素子５０Ａを消灯せずに点灯時間を短縮した場合には、その飽和領域の基準蛍光板画像データを、点灯時間を短縮した時間の割合に応じて補正し、これを二次元シェーディング補正データの生成に用いるようにしてもよい。
【００６６】
このように、本実施形態では、プレ露光画像に基づいて、本露光の露出時間で露出した場合に飽和する飽和領域を特定し、その飽和領域に対応する光源素子の点灯時間を短縮して本露光するので、二次元状に蛍光サンプルが配列されたような被写体においても、広いダイナミックレンジで蛍光サンプルを精度良く検出することができる。
【００６７】
なお、最初のプレ露光で飽和領域が存在する場合に、その飽和領域に対応する光源素子を消灯して再度プレ露光し、最初のプレ露光における飽和領域がさらに飽和する場合には、その飽和領域に対応する光源素子の周囲の光源素子を消灯して再度プレ露光するようにしてもよい。
【００６８】
また、本実施形態では、化学発光サンプルや蛍光サンプルを撮影する装置に本発明を適用した場合について説明したが、これに限らず、顕微鏡画像を撮影する装置や天体画像を撮影する装置にも本発明を適用可能である。
【００６９】
また、本実施形態で説明した撮影システム１の構成（図１〜５参照）は一例であり、本発明の主旨を逸脱しない範囲内において不要な部分を削除したり、新たな部分を追加したりしてもよいことは言うまでもない。
【００７０】
また、本記実施形態で説明した制御プログラムの処理の流れ（図６参照）も一例であり、本発明の主旨を逸脱しない範囲内において不要なステップを削除したり、新たなステップを追加したり、処理順序を入れ替えたりしてもよいことは言うまでもない。
【符号の説明】
【００７１】
１ 撮影システム
１０ 撮影装置
３０ 撮影部
３１ レンズ部
４０ 被写体配置部
５０ 落射光源
５０Ａ 光源素子
６０ 透過光源
７０ メインコントローラ
７０Ａ ＣＰＵ（プレ露光手段、特定手段、本露光手段）
７２ 操作部
７４ ハードディスク（記憶手段）
８０ 制御部
８６ タイミング発生器
８８ 撮像素子
９０ 冷却素子
９１ 温度センサ
９２ 電荷電圧変換アンプ
９４ 信号処理部
９６ メモリ
１００ 画像処理装置
２０２ 表示部
【図１】
0005349521.tif 000002
【図２】
0005349521.tif 000003
【図３】
0005349521.tif 000004
【図４】
0005349521.tif 000005
【図５】
0005349521.tif 000006
【図６】
0005349521.tif 000007
【図７】
0005349521.tif 000008